(57)【要約】      （修正有）【課題】中継器が無線セルラー通信ネットワークの少なくとも１つの端末と基地局との間で転送される信号を中継しなければならない該少なくとも１つの端末を識別するための方法を提供する。【解決手段】基地局ＢＳは、任意の端末ＴＥが、ランダムアクセス信号を基地局へ転送することによって該端末の存在を基地局に通知することを可能にするランダムアクセスチャネルを提供する。中継器ＲＬは、少なくとも１つの端末から成るリストを取得するためのランダムアクセス信号を基地局へ転送し、リストを受信し、中継器が少なくとも１つの識別される端末と基地局との間で転送される信号を中継しなければならない該少なくとも１つの端末を、受信したリストから識別し、少なくとも１つの識別された端末と基地局との間で信号を中継する。【選択図】図１
2014171255.tif 000002
【特許請求の範囲】
【請求項１】
少なくとも１つの端末の信号を中継するための方法であって、
前記方法は、通信システム上で実施され、
前記少なくとも１つの端末は、前記少なくとも１つの端末と無線セルラー通信ネットワークの基地局との間で転送される信号が中継装置によって中継されなければならない端末であり、
前記基地局はランダムアクセスチャネルを提供し、
前記ランダムアクセスチャネルは、端末が、ランダムアクセス信号を前記基地局へ転送することによって前記端末の存在を前記基地局に通知することを可能にする
方法において、
前記方法は、前記中継装置の存在を前記基地局に通知するためにランダムアクセス信号を、前記中継装置によって前記ランダムアクセスチャネル上で前記基地局に転送することを含み、前記中継装置は、前記ランダムアクセス信号を前記基地局が受信した当初において、前記基地局によって管理されるエリア内の新たな端末であると前記基地局によって考えられ、
前記方法は、前記中継装置は前記基地局と少なくとも１つの端末との間で信号を中継するよう構成された中継装置であるということを、前記転送されたランダムアクセス信号に対する応答が受信された後に、前記中継装置によって、前記基地局に知らせることを含み、
前記方法は、前記中継装置によって、少なくとも１つの端末と前記基地局との間で信号を中継することを含む、
方法。
【請求項２】
無線セルラー通信ネットワークの中継装置であって、
前記無線セルラー通信ネットワークにおいて、前記中継装置は、少なくとも１つの端末と基地局との間で転送される信号を中継するよう構成され、
前記基地局はランダムアクセスチャネルを提供し、
前記ランダムアクセスチャネルは、端末が、ランダムアクセス信号を前記基地局へ転送することによって前記端末の存在を前記基地局に通知することを可能にする
中継装置において、
前記中継装置は、前記中継装置の存在を前記基地局に通知するためにランダムアクセス信号を、前記ランダムアクセスチャネル上で前記基地局に転送するための手段を備え、前記中継装置は、前記ランダムアクセス信号を前記基地局が受信した当初において、前記基地局によって管理されるエリア内の新たな端末であると前記基地局によって考えられ、
前記中継装置は、前記中継装置が前記基地局と少なくとも１つの端末との間で信号を中継するよう構成された中継装置であるということを、前記基地局に知らせるための手段を備え、
前記中継装置は、少なくとも１つの端末と前記基地局との間で信号を中継するための手段を備える、
中継装置。
【請求項３】
ノン・トランジトリなコンピュータ可読媒体であって、
前記コンピュータ可読媒体は、無線セルラー通信ネットワークの中継装置に方法を実行させるためのコンピュータ実行可能な命令またはコードの部分を含み、
前記中継装置は、少なくとも１つの端末と基地局との間で転送される信号を中継するよう構成され、
前記基地局はランダムアクセスチャネルを提供し、
前記ランダムアクセスチャネルは、端末が、ランダムアクセス信号を前記基地局へ転送することによって前記端末の存在を前記基地局に通知することを可能にし、
前記方法は、前記中継装置の存在を前記基地局に通知するためにランダムアクセス信号を、前記中継装置によって前記ランダムアクセスチャネル上で前記基地局に転送することを含み、前記中継装置は、前記ランダムアクセス信号を前記基地局が受信した当初において、前記基地局によって管理されるエリア内の新たな端末であると前記基地局によって考えられ、
前記方法は、前記中継装置は前記基地局と前記少なくとも１つの端末との間で信号を中継するよう構成された中継装置であるということを、前記中継装置によって、前記基地局に知らせることを含み、
前記方法は、前記中継装置によって、少なくとも１つの端末と前記基地局との間で信号を中継することを含む、
ノン・トランジトリなコンピュータ可読媒体。
【請求項４】
中継装置の存在を基地局に通知するための方法であって、
前記方法は、通信システム上で実施され、
前記中継装置は、少なくとも１つの端末と、無線セルラー通信ネットワークの前記基地局との間で転送される信号を中継することができ、
前記基地局はランダムアクセスチャネルを提供し、
前記ランダムアクセスチャネルは、端末が、ランダムアクセス信号を前記基地局へ転送することによって前記端末の存在を前記基地局に通知することを可能にする
方法において、
前記方法は、前記中継装置の存在を前記基地局に通知するためにランダムアクセス信号を、前記中継装置によって前記ランダムアクセスチャネル上で前記基地局に転送することを含み、
前記中継装置は、前記ランダムアクセス信号を前記基地局が受信した当初において、前記基地局によって管理されるエリア内の新たな端末であると前記基地局によって考えられ、
前記方法は、前記中継装置は前記基地局と前記少なくとも１つの端末との間で信号を中継するよう構成された中継装置であるということを、前記中継装置によって、前記基地局に知らせることを含む、
方法。
【請求項５】
中継装置の存在を基地局に通知するための方法であって、
前記方法は、通信システム上で実施され、
前記中継装置は、少なくとも１つの端末と、無線セルラー通信ネットワークの前記基地局との間で転送される信号を中継することができ、
前記基地局はランダムアクセスチャネルを提供し、
前記ランダムアクセスチャネルは、端末が、ランダムアクセス信号を前記基地局へ転送することによって前記端末の存在を前記基地局に通知することを可能にする
方法において、
前記方法は、前記中継装置の存在を前記基地局に通知する、前記中継装置からのランダムアクセス信号を、前記基地局によって前記ランダムアクセスチャネル上で受信することを含み、前記ランダムアクセス信号を受信した当初において、前記中継装置は、前記基地局によって管理されるエリア内の新たな端末であると前記基地局によって考えられ、
前記方法は、前記中継装置は前記基地局と前記少なくとも１つの端末との間で信号を中継するよう構成された中継装置であるということを通知する前記中継装置からの情報を、前記基地局によって受信することを含む、
方法。
【発明の詳細な説明】
【技術分野】
【０００１】
本発明は、概して、中継器が少なくとも１つの端末と無線セルラー通信ネットワークの基地局との間で転送される信号を中継しなければならない該少なくとも１つの端末を識別するための方法及びデバイスに関する。
【０００２】
将来の無線セルラー通信ネットワークは、現在の無線セルラー通信ネットワークによって使用される周波数帯域よりも高い周波数帯域を使用することになる。
【０００３】
特に都市環境における新しい無線セルラー通信ネットワークは、デッドゾーンを有する。デッドゾーンでは、基地局と端末との間で転送される信号は大きく減衰される。
【０００４】
中継器を設置することによってデッドゾーンを低減することが可能である。
【０００５】
無線セルラー通信ネットワークにおける中継器の配備は、正しく制御されない場合、全体的なシステム性能を高めるどころかかえって全体的なシステム性能を低下させるおそれがある。
【０００６】
確かに、所与のセルにとって、他のセルの中継器は、その所与のセルの新たな干渉源になる可能性がある。これらの新たな干渉源は、他の基地局によって生成された干渉に加えられる。
【０００７】
中継器の大量の配備によって、オペレーターは、基地局をリンクする通信ネットワークにこれらの中継器を接続しなければならなくなるので、オペレーターに重い負担がかかる。
【０００８】
中継器が通信ネットワークに有線接続されることによって、中継器の配備コストが増加し、中継器のロケーションを容易に変更することが禁じられる。
【発明の概要】
【発明が解決しようとする課題】
【０００９】
本発明は、通信ネットワークに有線接続する必要がなく、中継動作モードが制御される中継器の配備によってデッドゾーンを低減する解決法を提案することを目的とする。
【課題を解決するための手段】
【００１０】
その目的のために、本発明は、
少なくとも１つの端末を識別するための方法であって、
少なくとも１つの識別される端末は、その少なくとも１つの識別される端末と無線セルラー通信ネットワークの基地局との間で転送される信号が中継器によって中継されなければならない端末であり、
基地局はランダムアクセスチャネルを提供し、
ランダムアクセスチャネルは、任意の端末が、ランダムアクセス信号を基地局へ転送することによって該端末の存在を基地局に通知することを可能にする
方法において、
該方法は、中継器によって実行される複数のステップとして、
‐少なくとも１つの端末から成るリストを取得するために、ランダムアクセス信号を基地局へ転送するステップと、
‐リストを受信するステップと、
‐少なくとも１つの端末を、受信したリストから識別するステップであって、この少なくとも１つの識別される端末とは、その少なくとも１つの識別される端末と基地局との間で転送される信号が中継器によって中継されなければならない端末である、少なくとも１つの端末を、受信したリストから識別するステップと、
‐少なくとも１つの識別された端末と基地局との間で信号を中継するステップと、
を含むことを特徴とする、方法に関する。
【００１１】
本発明はまた、
無線セルラー通信ネットワークの中継器であって、
該中継器は、少なくとも１つの端末と基地局との間で転送される信号を中継することができ、
基地局はランダムアクセスチャネルを提供し、
ランダムアクセスチャネルは、任意の端末が、ランダムアクセス信号を基地局へ転送することによって該端末の存在を基地局に通知することを可能にする
中継器において、
該中継器は、
‐少なくとも１つの端末から成るリストを取得するために、ランダムアクセス信号を基地局へ転送するための手段と、
‐リストを受信するための手段と、
‐少なくとも１つの端末を、受信したリストから識別するための手段であって、この少なくとも１つの識別される端末とは、その少なくとも１つの識別される端末と基地局との間で転送される信号が中継器によって中継されなければならない端末である、少なくとも１つの端末を、受信したリストから識別するための手段と、
‐少なくとも１つの識別された端末と基地局との間で信号を中継するための手段と、
を備えることを特徴とする、中継器に関する。
【００１２】
したがって、無線セルラー通信ネットワークの通信ネットワークに中継器を有線接続することはもはや必要ではない。
【００１３】
端末によって従来使用されている信号を使用することによって、無線セルラー通信ネットワークの特定の変更を何ら必要とすることなく、中継器は、無線セルラー通信ネットワークとの接続を確立することができる。
【００１４】
さらに、信号を中継しなければならない少なくとも１つの端末を決定することによって、中継器の動作を無線セルラー通信ネットワークの状況に適合させることが可能である。中継される信号は制御されるので、隣接セルに対して生成される干渉は少なくなる。
【００１５】
さらに、中継器は端末と同じシグナリングを使用するので、中継器は移動することができる。
【００１６】
特定の特徴によれば、中継器は、
‐アイドルモードに切り替わるように中継器に要求するメッセージを受信し、
‐各識別された端末と基地局との間で転送される信号の中継を中断する。
【００１７】
したがって、中継器の動作は、無線セルラー通信ネットワークの状況に適合される。中継される信号は制御されるので、隣接セルに対して生成される干渉は少なくなる。
【００１８】
特定の特徴によれば、中継器は、少なくとも１つの端末によって該端末をハンドリングする基地局へ転送される信号の、測定値を表す情報を転送する。
【００１９】
したがって、どの端末が少なくとも１つの端末から成るリストの良好な候補となり得るのかを知ることが可能である。中継器の動作は、無線セルラー通信ネットワークの状況に適合される。
【００２０】
特定の特徴によれば、少なくとも１つの端末によって転送される信号の測定値を表す情報は、
基地局と、
中継器が最も高い受信信号電力強度を測定する端末と
の間の少なくとも１つのチャネルのリソースブロックを識別する情報である。
【００２１】
したがって、どのリソースブロックが信号の中継の良好な候補となり得るのかを知ることが可能である。中継器の動作は、無線セルラー通信ネットワークの状況に適合される。
【００２２】
特定の特徴によれば、管理エンティティが、基地局のセルに配置された中継器を管理する。
【００２３】
特定の特徴によれば、管理エンティティは、
‐リソースブロックを識別する情報を受信し、
‐識別されたリソースブロックが割り当てられる端末の少なくとも１つの識別子を基地局から取得し、
‐少なくとも１つの端末から成るリストを、端末の少なくとも１つの取得された識別子から求める。
【００２４】
したがって、どの端末が良好な候補となり得るのかを知ることが可能である。中継器の動作は、無線セルラー通信ネットワークの状況に適合される。
【００２５】
さらに、中継器は、測定中に端末を識別する必要がないので、無線セルラー通信を大幅に変更する必要はない。
【００２６】
特定の特徴によれば、管理エンティティは、端末と基地局との間の送信品質が所与のしきい値未満である端末の少なくとも１つの識別子を基地局から取得し、少なくとも１つの端末から成るリストは、さらに、端末と基地局との間の送信品質が所与のしきい値未満である少なくとも１つの取得された端末の識別子から求められる。
【００２７】
したがって、どの端末が良好な候補となり得るのかを知ることが可能である。中継器の動作は、無線セルラー通信ネットワークの状況に適合される。
【００２８】
特定の特徴によれば、管理エンティティは、基地局と中継器との間で転送される信号の測定値を表す情報を受信し、少なくとも１つの端末から成るリストは、さらに、基地局と中継器との間で転送される信号の測定値を表す情報から求められる。
【００２９】
したがって、基地局と少なくとも１つの端末との間で転送される信号を中継するための候補として、その中継器が良好であるか否かを判断することが可能である。例えば、中継器が移動しており、中継器と基地局との間のリンク状況が減少する場合、中継器は信号を中継するべきでなく、管理エンティティは、基地局と端末との間で転送される信号を中継するための別の中継器を選択することができる。
【００３０】
特定の特徴によれば、管理エンティティは、信号を中継する必要がない場合に、少なくとも１つの端末と該端末をハンドリングする基地局との間で転送される信号の転送を停止するように中継器に要求するメッセージを転送する。
【００３１】
したがって、中継器の動作は、無線セルラー通信ネットワークの状況に適合される。
【００３２】
特定の特徴によれば、管理エンティティは、ページングメッセージを中継器へ転送する。
【００３３】
したがって、端末に従来使用されている信号を使用することによって、無線セルラー通信ネットワークを特に変更する必要なく、管理エンティティは、中継器をウェイクアップさせることができかつ／又は中継器のロケーションを求めることができる。
【００３４】
特定の特徴によれば、管理エンティティと中継器との間で転送されるメッセージ及び／又は情報は、基地局の無線インターフェースを介して転送される。
【００３５】
したがって、基地局のリソースを使用することによって、無線セルラー通信ネットワークのアーキテクチャを変更する必要はない。
【００３６】
特定の特徴によれば、基地局は識別子を中継器に割り当て、該識別子は、端末に割り当てられる複数の識別子の中から選択される。
【００３７】
したがって、基地局は、中継特性に気付く必要がないので、端末に通常使用される従来の識別子を使用することによって、基地局を変更する必要なく中継器を識別することができる。無線セルラー通信ネットワークを特に変更する必要はない。
【００３８】
特定の特徴によれば、少なくとも１つの識別された端末は、受信されたリストにおいて識別される。
【００３９】
さらに別の態様によれば、本発明は、プログラマブルデバイス内に直接ロード可能とすることができるコンピュータープログラムであって、該コンピュータープログラムがプログラマブルデバイスで実行されると、本発明に従った方法のステップを実施するための命令又はコード部を含む、コンピュータープログラムに関する。
【００４０】
コンピュータープログラムに関する特徴及び利点は、本発明による方法及びデバイスに関連して上述したものと同じであるので、ここでは繰り返さないことにする。
【００４１】
また、本発明は、
少なくとも１つの端末の信号を中継するための方法であって、
前記方法は、通信システム上で実施され、
前記少なくとも１つの端末は、前記少なくとも１つの端末と無線セルラー通信ネットワークの基地局との間で転送される信号が中継装置によって中継されなければならない端末であり、
前記基地局はランダムアクセスチャネルを提供し、
前記ランダムアクセスチャネルは、端末が、ランダムアクセス信号を前記基地局へ転送することによって前記端末の存在を前記基地局に通知することを可能にする
方法において、
前記方法は、前記中継装置の存在を前記基地局に通知するためにランダムアクセス信号を、前記中継装置によって前記ランダムアクセスチャネル上で前記基地局に転送することを含み、前記中継装置は、前記ランダムアクセス信号を前記基地局が受信した当初において、前記基地局によって管理されるエリア内の新たな端末であると前記基地局によって考えられ、
前記方法は、前記中継装置は前記基地局と少なくとも１つの端末との間で信号を中継するよう構成された中継装置であるということを、前記転送されたランダムアクセス信号に対する応答が受信された後に、前記中継装置によって、前記基地局に知らせることを含み、
前記方法は、前記中継装置によって、少なくとも１つの端末と前記基地局との間で信号を中継することを含む、
方法にも関する。
【００４２】
また、本発明は、
無線セルラー通信ネットワークの中継装置であって、
前記無線セルラー通信ネットワークにおいて、前記中継装置は、少なくとも１つの端末と基地局との間で転送される信号を中継するよう構成され、
前記基地局はランダムアクセスチャネルを提供し、
前記ランダムアクセスチャネルは、端末が、ランダムアクセス信号を前記基地局へ転送することによって前記端末の存在を前記基地局に通知することを可能にする
中継装置において、
前記中継装置は、前記中継装置の存在を前記基地局に通知するためにランダムアクセス信号を、前記ランダムアクセスチャネル上で前記基地局に転送するための手段を備え、前記中継装置は、前記ランダムアクセス信号を前記基地局が受信した当初において、前記基地局によって管理されるエリア内の新たな端末であると前記基地局によって考えられ、
前記中継装置は、前記中継装置が前記基地局と少なくとも１つの端末との間で信号を中継するよう構成された中継装置であるということを、前記基地局に知らせるための手段を備え、
前記中継装置は、少なくとも１つの端末と前記基地局との間で信号を中継するための手段を備える、
中継装置にも関する。
【００４３】
また、本発明は、
ノン・トランジトリなコンピュータ可読媒体であって、
前記コンピュータ可読媒体は、無線セルラー通信ネットワークの中継装置に方法を実行させるためのコンピュータ実行可能な命令またはコードの部分を含み、
前記中継装置は、少なくとも１つの端末と基地局との間で転送される信号を中継するよう構成され、
前記基地局はランダムアクセスチャネルを提供し、
前記ランダムアクセスチャネルは、端末が、ランダムアクセス信号を前記基地局へ転送することによって前記端末の存在を前記基地局に通知することを可能にし、
前記方法は、前記中継装置の存在を前記基地局に通知するためにランダムアクセス信号を、前記中継装置によって前記ランダムアクセスチャネル上で前記基地局に転送することを含み、前記中継装置は、前記ランダムアクセス信号を前記基地局が受信した当初において、前記基地局によって管理されるエリア内の新たな端末であると前記基地局によって考えられ、
前記方法は、前記中継装置は前記基地局と前記少なくとも１つの端末との間で信号を中継するよう構成された中継装置であるということを、前記中継装置によって、前記基地局に知らせることを含み、
前記方法は、前記中継装置によって、少なくとも１つの端末と前記基地局との間で信号を中継することを含む、
ノン・トランジトリなコンピュータ可読媒体にも関する。
【００４４】
また、本発明は、
中継装置の存在を基地局に通知するための方法であって、
前記方法は、通信システム上で実施され、
前記中継装置は、少なくとも１つの端末と、無線セルラー通信ネットワークの前記基地局との間で転送される信号を中継することができ、
前記基地局はランダムアクセスチャネルを提供し、
前記ランダムアクセスチャネルは、端末が、ランダムアクセス信号を前記基地局へ転送することによって前記端末の存在を前記基地局に通知することを可能にする
方法において、
前記方法は、前記中継装置の存在を前記基地局に通知するためにランダムアクセス信号を、前記中継装置によって前記ランダムアクセスチャネル上で前記基地局に転送することを含み、
前記中継装置は、前記ランダムアクセス信号を前記基地局が受信した当初において、前記基地局によって管理されるエリア内の新たな端末であると前記基地局によって考えられ、
前記方法は、前記中継装置は前記基地局と前記少なくとも１つの端末との間で信号を中継するよう構成された中継装置であるということを、前記中継装置によって、前記基地局に知らせることを含む、
方法にも関する。
【００４５】
また、本発明は、
中継装置の存在を基地局に通知するための方法であって、
前記方法は、通信システム上で実施され、
前記中継装置は、少なくとも１つの端末と、無線セルラー通信ネットワークの前記基地局との間で転送される信号を中継することができ、
前記基地局はランダムアクセスチャネルを提供し、
前記ランダムアクセスチャネルは、端末が、ランダムアクセス信号を前記基地局へ転送することによって前記端末の存在を前記基地局に通知することを可能にする
方法において、
前記方法は、前記中継装置の存在を前記基地局に通知する、前記中継装置からのランダムアクセス信号を、前記基地局によって前記ランダムアクセスチャネル上で受信することを含み、前記ランダムアクセス信号を受信した当初において、前記中継装置は、前記基地局によって管理されるエリア内の新たな端末であると前記基地局によって考えられ、
前記方法は、前記中継装置は前記基地局と前記少なくとも１つの端末との間で信号を中継するよう構成された中継装置であるということを通知する前記中継装置からの情報を、前記基地局によって受信することを含む、
方法にも関する。
【００４６】
本発明の特徴は、一例の実施形態の以下の説明を読むことによってより明らかになる。該説明は、添付図面に関して作成されたものである。
【図面の簡単な説明】
【００４７】
【図１】本発明が実施される無線セルラー通信ネットワークのアーキテクチャを表す。
【図２】本発明が実施される中継器のアーキテクチャを表す図である。
【図３】本発明が実施される管理エンティティのアーキテクチャを表す図である。
【図４】本発明が実施される基地局のアーキテクチャを表す図である。
【図５ａ】本発明による中継器によって実行されるアルゴリズムの一例を開示する。
【図５ｂ】本発明による中継器によって実行されるアルゴリズムの一例を開示する。
【図６】本発明による基地局によって実行されるアルゴリズムの一例を開示する。
【図７ａ】本発明による管理エンティティによって実行されるアルゴリズムの一例を開示する。
【図７ｂ】本発明による管理エンティティによって実行されるアルゴリズムの一例を開示する。
【図７ｃ】本発明による管理エンティティによって実行されるアルゴリズムの一例を開示する。
【００４８】
図１は、本発明が実施される無線セルラー通信ネットワークのアーキテクチャを表す。
【００４９】
無線セルラー通信ネットワークでは、基地局ＢＳが少なくとも１つの端末ＴＥへ信号を転送する。
【００５０】
基地局ＢＳは、アクセスノード又はノードＢ又はエンハンストノードＢとも呼ばれる。
【００５１】
端末ＴＥが基地局ＢＳを通じてリモートデバイスとの通信を確立することを可能にするのに必要な情報を基地局ＢＳが有するときに、基地局ＢＳは端末ＴＥをハンドリングする。
【００５２】
基地局ＢＳによって管理されるエリア又はセルは、そのセルにおいて基地局ＢＳと端末ＴＥとが通信することができるエリアである。
【００５３】
基地局ＢＳは、ダウンリンクチャネルを通じて端末ＴＥへ信号を転送し、アップリンクチャネルを通じて端末ＴＥにより転送された信号を受信する。
【００５４】
図１には、１つの中継器ＲＬが示されている。この中継器ＲＬは、３つのモードで稼動することができる。
中継器ＲＬが基地局ＢＳと少なくとも１つの端末ＴＥとの間で転送される信号を中継する、中継モードと、
中継器ＲＬが、従来の無線セルラー通信ネットワークの端末ＴＥについて知られているアイドルモードと同様のアイドルモードにある、アイドルモードと、
中継器ＲＬと管理エンティティＭＥとの間に接続が確立されているが、中継器が基地局ＢＳと少なくとも１つの端末ＴＥとの間で転送される信号を中継しない、アクティブモードと
である。アクティブモードは、中継モードとアイドルモードとの間の中間のモードである。
【００５５】
アイドルモードは、中継器ＲＬと管理エンティティＭＥとの間に接続が確立されず、中継器ＲＬが基地局ＢＳと少なくとも１つの端末ＴＥとの間で転送されるいかなる信号をも中継せず、無線セルラー通信ネットワークの他のどのデバイスにも中継器の位置の決定を可能にする信号を転送しないモードである。
【００５６】
本発明によれば、中継器ＲＬの位置は変化することができる。例えば、中継器ＲＬは、バス、車両、又は列車内に配置することができる。
【００５７】
本発明によれば、中継器ＲＬは、少なくとも１つの端末ＴＥから成るリストを取得するためのランダムアクセス信号を基地局ＢＳへ転送する。
【００５８】
中継器ＲＬは、受信したリストから、少なくとも１つの端末ＴＥを識別する。この少なくとも１つの識別される端末ＴＥは、その端末ＴＥについて、その端末ＴＥと基地局ＢＳとの間で転送される信号が中継器ＲＬによって中継されなければならない、そのような端末ＴＥである。
【００５９】
ランダムアクセス信号は、基地局ＢＳが端末ＴＥの存在を検出するためにランダムアクセスチャネルで端末ＴＥによって転送される信号と同様である。
【００６０】
中継器ＲＬが中継器として作動するとき、中継器ＲＬは、
端末ＴＥをハンドリングする基地局ＢＳによってダウンリンクチャネルで転送された信号を受信し、これらの信号をダウンリンクチャネルを通じて端末ＴＥへ転送し、かつ／又は、
端末ＴＥによってアップリンクチャネルを通じて転送された信号を受信し、この端末ＴＥをハンドリングする基地局ＢＳへこれらの信号をアップリンクチャネルで転送する。
【００６１】
ここで、中継器ＲＬは、他の異なるモードでも動作し得るということに留意しなければならない。例えば、中継器ＲＬはフェムト基地局のように動作することができる。
【００６２】
基地局ＢＳは通信ネットワークＴＮにリンクされる。通信ネットワークＴＮは各基地局ＢＳをコアネットワークデバイスＣＮにリンクする。コアネットワークデバイスＣＮは無線セルラー通信ネットワークの動作をハンドリングする。
【００６３】
コアネットワークデバイスＣＮは、従来の無線セルラー通信ネットワークの従来のコアネットワークデバイスと同じ動作を実行する。
【００６４】
図１には、１つの管理エンティティＭＥが示されている。管理エンティティＭＥは、少なくとも１つの基地局ＢＳに含まれ、その基地局ＢＳの少なくとも１つのセルに含まれる１つの中継器ＲＬ又は複数の中継器ＲＬを管理する。
【００６５】
一変形では、管理エンティティＭＥは、基地局ＢＳに含まれず、通信ネットワークＴＮを通じて該管理エンティティＭＥにリンクされた複数の基地局ＢＳのセルに含まれる複数の中継器ＲＬを管理する。
【００６６】
中継器ＲＬには、中継モードで稼動することができるものもあれば、アイドルモード又はアクティブモードで稼動することができるものもある。
【００６７】
管理エンティティＭＥは、中継器コントローラーとも呼ばれる場合がある。
【００６８】
図１には、明瞭にするために、１つの基地局ＢＳ、１つの管理エンティティＭＥ、及び１つの中継器ＲＬのみが示されているが、実際には、無線セルラー通信ネットワークは、多数の基地局ＢＳ、管理エンティティＭＥ、及び中継器ＲＬを備える。
【００６９】
端末ＴＥは、例えば、移動電話、携帯情報端末、パーソナルコンピューターである。
【００７０】
図１には、明瞭にするために、１つの端末ＴＥのみが示されているが、実際には、無線セルラー通信ネットワークは多数の端末ＴＥを備える。
【００７１】
図２は、本発明の実施される中継器のアーキテクチャを表す図である。
【００７２】
中継器ＲＬは、例えば、バス２０１によって互いに接続されたコンポーネントと、図５に開示するプログラムによって制御されるプロセッサ２００とに基づくアーキテクチャを有する。
【００７３】
バス２０１は、プロセッサ２００を、読み出し専用メモリＲＯＭ２０２、ランダムアクセスメモリＲＡＭ２０３、及び無線インターフェース２０５にリンクする。
【００７４】
メモリ２０３は、変数を収容するように意図されたレジスタと、図５に開示するプログラムの命令とを含む。
【００７５】
プロセッサ２００は、無線インターフェース２０５の動作を制御する。
【００７６】
読み出し専用メモリ２０２は、図５に開示するプログラムの命令を含む。これらの命令は、中継器ＲＬに電源が投入されると、ランダムアクセスメモリ２０３へ転送される。
【００７７】
無線インターフェース２０５は、中継器ＲＬが、基地局ＢＳへ、及び、少なくとも１つの端末ＴＥから成るリストに含まれる少なくとも１つの端末ＴＥへ、信号又はメッセージを転送及び／又は受信することを可能にする。
【００７８】
無線インターフェース２０５は、
少なくとも１つの基地局ＢＳによって転送された信号を受信する、ダウンリンク受信モジュール２１０を備えることができ、
少なくとも１つの端末ＴＥへ信号を転送する、ダウンリンク送信モジュール２１１を備えることができ、
少なくとも１つの端末ＴＥによって転送された信号を受信する、アップリンク受信モジュール２１２を備えることができ、
少なくとも１つの基地局ＢＳへ信号を転送する、アップリンク送信モジュール２１３を備えることができる。
【００７９】
図３は、本発明の実施される管理エンティティのアーキテクチャを表す図である。
【００８０】
管理エンティティＭＥは、例えば、バス３０１によって互いに接続されたコンポーネントと、図７に開示するプログラムによって制御されるプロセッサ３００とに基づくアーキテクチャを有する。
【００８１】
バス３０１は、プロセッサ３００を、読み出し専用メモリＲＯＭ３０２、ランダムアクセスメモリＲＡＭ３０３、及びネットワークインターフェース３０６にリンクする。
【００８２】
メモリ３０３は、変数を収容するように意図されたレジスタと、図７に開示するアルゴリズムに関連したプログラムの命令とを含む。
【００８３】
プロセッサ３００は、ネットワークインターフェース３０６の動作を制御する。
【００８４】
読み出し専用メモリ３０２は、図７に開示するアルゴリズムに関連したプログラムの命令を含む。これらの命令は、管理エンティティＭＥに電源が投入されると、ランダムアクセスメモリ３０３へ転送される。
【００８５】
管理エンティティＭＥは、ネットワークインターフェース３０６を通じて通信ネットワークＴＮに接続することができる。例えば、ネットワークインターフェース３０６は、ＤＳＬ（デジタル加入者線）モデム又はＩＳＤＮ（サービス統合デジタル網）インターフェース等である。このようなインターフェースを通じて、管理エンティティＭＥは、少なくとも１つの中継器ＲＬへ及び／若しくは少なくとも１つの基地局ＢＳへメッセージを転送することができ、かつ／又は、少なくとも１つの中継器ＲＬから及び／若しくは少なくとも１つの基地局ＢＳからメッセージを受信することができる。
【００８６】
ここで、管理エンティティＭＥが基地局ＢＳに含まれるとき、プロセッサ３００、メモリ３０２、ランダムアクセスメモリＲＡＭ３０３、及びネットワークインターフェース３０６は、基地局ＢＳのものであってもよいことに留意しなければならない。
【００８７】
図４は、本発明が実施される基地局のアーキテクチャを表す図である。
【００８８】
基地局ＢＳは、例えば、バス４０１によって互いに接続されたコンポーネントと、図６に開示するプログラムによって制御されるプロセッサ４００とに基づくアーキテクチャを有する。
【００８９】
バス４０１は、プロセッサ４００を、読み出し専用メモリＲＯＭ４０２、ランダムアクセスメモリＲＡＭ４０３、無線インターフェース４０５、及びネットワークインターフェース４０６にリンクする。
【００９０】
メモリ４０３は、変数を収容するように意図されたレジスタと、図６に開示するアルゴリズムに関連付けられたプログラムの命令とを含む。
【００９１】
プロセッサ４００は、ネットワークインターフェース４０６及び無線インターフェース４０５のオペレーションを制御する。
【００９２】
読み出し専用メモリ４０２は、図６に開示するアルゴリズムに関連付けられたプログラムの命令を含む。これらの命令は、基地局ＢＳに電源が投入されると、ランダムアクセスメモリ４０３へ転送される。
【００９３】
基地局ＢＳは、ネットワークインターフェース４０６を通じて通信ネットワークＴＮに接続される。例えば、ネットワークインターフェース４０６は、ＤＳＬ（デジタル加入者線）モデム又はＩＳＤＮ（サービス統合デジタル網）インターフェース等である。このようなインターフェースを通じて、基地局ＢＳは、少なくとも１つの管理エンティティＭＥ又は無線セルラー通信ネットワークを管理するコアネットワークデバイスＣＮへメッセージを転送することができる。
【００９４】
無線インターフェース４０５は、信号を、中継器ＲＬによって中継されるか否かに関わらず、少なくとも１つの端末ＴＥへ転送する少なくとも１つのダウンリンク送信モジュール（図１には示さず）を備え、また、少なくとも１つの端末ＴＥによって転送される信号を、中継器ＲＬによって中継されるか否かに関わらず受信するアップリンク受信モジュール（図１には示さず）を備える。
【００９５】
図５ａ及び図５ｂは、本発明による中継器によって実行されるアルゴリズムの一例を開示する。
【００９６】
より正確には、本アルゴリズムは、中継器ＲＬのプロセッサ２００によって実行される。
【００９７】
図５ａのステップＳ５００において、プロセッサ２００は、中継器ＲＬが配置されているセルを管理する基地局ＢＳのランダムアクセスチャネルを通じてランダムアクセス信号ＲＡＣＨを転送するように、無線インターフェース２０５に指令する。
【００９８】
このランダムアクセス信号は、例えば、中継器ＲＬに電源が投入されたときに、又は、中継器ＲＬが該中継器ＲＬにとって未知のエリアに入ったときに、転送される。
【００９９】
次のステップＳ５０１において、プロセッサ２００は、基地局ＢＳによって中継器ＲＬに割り当てられた一時識別子ＵＥＩＤを無線インターフェース２０５を通じて受信する。この一時識別子ＵＥＩＤは、基地局ＢＳによって管理されるセルにおいて中継器ＲＬを一意に識別する。中継器ＲＬを一意に識別する識別子ＵＥＩＤは、その基地局ＢＳによって管理されるセルに位置する端末ＴＥを一意に識別できる複数の識別子の中から選択される。
【０１００】
ここで、中継器ＲＬは、自身が基地局ＢＳのセルに存在することを通知するために、端末ＴＥが使用するのと同じランダムアクセス信号ＲＡＣＨを使用するので、中継器ＲＳは基地局ＢＳのセルの新しい端末ＴＥとみなされるということに留意しなければならない。
【０１０１】
次のステップＳ５０２において、プロセッサ２００は、無線セルラー通信ネットワークの少なくとも１つのコアネットワークデバイスＣＮによる識別／認証手順に入る。
【０１０２】
そのステップにおいて、プロセッサ２００は、中継器ＲＬが端末ＴＥではなく中継器（中継動作モードにおいて、基地局ＢＳと少なくとも１つの端末ＴＥとの間で転送される信号を中継することができるもの）であることをコアネットワークデバイスＣＮ又は基地局ＢＳに知らせる。
【０１０３】
同時に、中継器ＲＬは、従来の無線セルラー通信ネットワークが端末ＴＥを認証するのと同様の方法で認証される。
【０１０４】
次のステップＳ５０３において、プロセッサ２００は、無線セルラー通信ネットワークのコアネットワークデバイスＣＮから無線インターフェース２０５を通じて一意の識別子ＴＥＩＤを受信する。
【０１０５】
この一意の識別子ＴＥＩＤは、無線セルラー通信ネットワークにおいて中継器ＲＬを一意に識別するか、又は、無線セルラー通信ネットワークのセル群において中継器ＲＬを一意に識別する。中継器ＲＬを一意に識別する識別子ＴＥＩＤは、無線セルラー通信ネットワークにおいて又は無線セルラー通信ネットワークのセル群において端末ＴＥを一意に識別できる複数の識別子の中から選択される。
【０１０６】
ここで、ＵＥＩＤ及びＴＥＩＤの受信の順序は、本アルゴリズムで開示したものと異なってもよいことに留意しなければならない。
【０１０７】
次のステップＳ５０４において、中継器ＲＬと管理エンティティＭＥとの間に接続が確立される。
【０１０８】
管理エンティティＭＥが基地局ＢＳに含まれるときは、中継器ＲＬと管理エンティティＭＥとの間の接続は、中継器ＲＬと基地局ＢＳとの間に、それらのそれぞれの無線インターフェース２０５及び４０５を通じて確立される。
【０１０９】
管理エンティティＭＥが基地局ＢＳに含まれないときは、中継器ＲＬと管理エンティティＭＥとの間の接続は、
中継器ＲＬと基地局ＢＳとの間に、それらのそれぞれの無線インターフェース２０５及び４０５を通じて確立された第１の部分接続と、
基地局ＢＳと管理エンティティＭＥとの間における、それらのそれぞれのネットワークインターフェース４０６及び３０６を通じた第２の部分接続と
に分解される。
【０１１０】
同じステップにおいて、管理エンティティＭＥは、中継器ＲＬに割り当てられたＵＥＩＤ及びＴＥＩＤの対を記憶する。管理エンティティＭＥが、一意の識別子の対を使用して接続を開始することもできるし、又は、中継器ＲＬが、無線セルラー通信ネットワークのコアネットワークデバイスＣＮによって提供された指示から接続を開始することもできる。
【０１１１】
次のステップＳ５０５において、プロセッサ２００は、無線インターフェース２０５を通じて、中継器ＲＬの特徴を取得するための要求の受信を検出する。
【０１１２】
中継器ＲＬの特徴は、例えば、
全地球的航法衛星システムによって提供される位置としての中継器の位置、
中継器が受信信号の再送信をスケジューリングすることができるか否か、かつ／又は、
中継器が受信信号を復号及び再送信することができるか否か、かつ／又は、
どの端末ＴＥへ信号が転送されたか、若しくは、どの端末ＴＥから信号が送信されたのかを中継器が判断できるか否か、かつ／又は、
中継器ＲＬが、異なる周波数リソースで信号を再送信できるか否か、若しくは、中継器ＲＬによって受信された信号の送信に使用されたものと異なる変調及び／若しくは符号化方式を使用して信号を再送信できるか否か場合、かつ／又は、
どのプロトコルが中継器ＲＬによってサポートされているのか、
である。
【０１１３】
次のステップＳ５０６において、プロセッサ２００は、無線インターフェース２０５を通じた中継器ＲＬの特徴の転送を指令する。
【０１１４】
ここで、一変形では、中継器ＲＬの特徴は、識別ステップＳ５０２の期間中に転送されることに留意しなければならない。その変形では、プロセッサ２００は、ステップＳ５０４からステップＳ５０７に移動する。
【０１１５】
別の変形では、接続がステップＳ５０４において確立されると、プロセッサ２００は、ステップＳ５０４からＳ５０６に移動し、無線インターフェース２０５を通じた中継器ＲＬの特徴の転送を指令する。
【０１１６】
次のステップＳ５０７において、プロセッサ２００は、サウンディング要求が無線インターフェース２０５を通じて受信されたか否かをチェックする。このサウンディング要求は、管理エンティティＭＥによって転送される。
【０１１７】
サウンディング要求が受信された場合、プロセッサ２００はステップＳ５０８に移動する。そうでない場合、プロセッサ２００はステップＳ５２０に移動する。
【０１１８】
次のステップＳ５０８において、プロセッサ２００は、受信信号をサウンディングするように無線インターフェース２０５に指令する。すなわち、各無線物理リソースブロックＰＲＢで受信される信号を監視するように無線インターフェース２０５に指令する。
【０１１９】
物理リソースブロックは、ダウンリンクチャネル及び／又はアップリンクチャネルの一部である。物理リソースブロックは、ダウンリンクチャネル及び／又はアップリンクチャネルの少なくとも１つの時間リソース及び／又は周波数リソースから成る。
【０１２０】
例えば、各無線物理リソースブロックにおいて端末ＴＥによって送信され中継器ＲＬによって受信された信号の電力強度が監視される。かつ／又は、各無線物理リソースブロックにおいて基地局ＢＳによって送信され中継器において受信された信号の電力強度が監視される。
【０１２１】
次のステップＳ５０９において、プロセッサ２００は、受信信号電力強度が最も高いＭ個に対応するＭ個の物理リソースブロックＰＲＢを識別する情報を管理エンティティＭＥへ転送するように無線インターフェース２０５に指令する。Ｍは１以上の整数である。
【０１２２】
一変形では、プロセッサ２００は、Ｍ個の最も高い受信信号電力強度を有する信号を転送する各端末ＴＥを決定して、決定した端末ＴＥのＭ個の識別子を転送するように無線インターフェース２０５に指令する。
【０１２３】
その後、プロセッサ２００はステップＳ５０７に戻る。
【０１２４】
ステップＳ５２０において、プロセッサ２００は、ハンドオーバーコマンドメッセージが無線インターフェース２０５を通じて受信されたか否かをチェックする。
【０１２５】
ハンドオーバー要求メッセージが受信された場合、プロセッサ２００はステップＳ５２１に移動する。そうでない場合、プロセッサ２００は図５ｂのステップＳ５５０に移動する。
【０１２６】
ステップＳ５２１において、中継器ＲＬは、従来の端末ＴＥが従来の無線セルラー通信ネットワークでハンドオーバーを実行するのと同様にハンドオーバー手順を実行する。
【０１２７】
その後、プロセッサ２００はステップＳ５００に戻る。
【０１２８】
ステップＳ５５０において、プロセッサ２００は、アイドルコマンドが管理エンティティＭＥから無線インターフェース２０５を通じて受信されたか否かをチェックする。
【０１２９】
アイドルコマンドが受信された場合、プロセッサ２００はステップＳ５５１に移動する。そうでない場合、プロセッサ２００はステップＳ５６０に移動する。
【０１３０】
ステップＳ５５１において、プロセッサ２００は、アイドルモードに切り替わるように無線インターフェース２０５に指令する。無線インターフェース２０５は、信号を中継することを停止し、端末ＴＥのロケーションを特定するのに使用される信号のようないくつかの信号の送信を中断する。
【０１３１】
ステップＳ５５２において、プロセッサ２００は、管理エンティティＭＥにより発行されたページングメッセージの、無線インターフェース２０５を通じた受信を待機する。ページングメッセージは、従来、端末ＴＥの着呼があることを端末ＴＥに知らせるために、コアネットワークデバイスＣＮによって使用されている。
【０１３２】
ページングメッセージが受信されたとき、プロセッサ２００はステップＳ５５３に移動する。
【０１３３】
ステップＳ５５３において、プロセッサ２００は、中継器ＲＬが配置されているエリアを管理する基地局ＢＳのランダムアクセスチャネルを通じたランダムアクセス信号ＲＡＣＨの転送を指令する。
【０１３４】
ランダムアクセス信号は、受信されたページングメッセージに応答して転送される。
【０１３５】
次のステップＳ５５４において、プロセッサ２００は、基地局ＢＳによって中継器ＲＬに割り当てられた別の一時識別子ＵＥＩＤを無線インターフェース２０６を通じて受信する。この一時識別子ＵＥＩＤは、基地局ＢＳによって管理されるセルにおいて中継器ＲＬを一意に識別する。中継器ＲＬを一意に識別するこの一時識別子ＵＥＩＤは、その基地局ＢＳによって管理されるセルに位置する端末ＴＥを一意に識別できる複数の一時識別子の中から選択される。
【０１３６】
次のステップＳ５５５において、プロセッサ２００は、図５ａのＳ５０２において開示されたのと同様に、管理エンティティＭＥによる識別／認証手順に入る。
【０１３７】
その後、プロセッサ２００は図５ａのステップＳ５０７に戻る。
【０１３８】
ステップＳ５６０において、プロセッサ２００は、少なくとも１つの端末ＴＥから成るリストが無線インターフェース２０５を通じて受信されたか否かをチェックする。
【０１３９】
少なくとも１つの端末ＴＥから成るリストが受信された場合、プロセッサ２００はステップＳ５６１に移動する。少なくとも１つの端末ＴＥから成るリストが受信されていない場合、プロセッサ２００は図５ａのステップＳ５０７に戻る。
【０１４０】
ステップＳ５６１において、プロセッサ２００は、少なくとも１つの端末ＴＥから成る受信されたリストから、少なくとも１つの端末ＴＥを識別する。この少なくとも１つの識別される端末ＴＥは、その端末ＴＥと基地局ＢＳとの間で転送される信号が中継器ＲＬによって中継されなければならない、そのような端末ＴＥである。
【０１４１】
例えば、少なくとも１つの端末ＴＥから成るリストは、基地局ＢＳと端末ＴＥとの間で転送される信号を中継しなければならない各端末ＴＥの識別子を含む。
【０１４２】
プロセッサ２００は、少なくとも１つの識別子から成るリストに含まれる識別子を読み出すことによって、中継器ＲＬが少なくとも１つの識別される端末ＴＥと基地局ＢＳとの間で転送される信号を中継しなければならない該少なくとも１つの端末ＴＥを識別する。
【０１４３】
例えば、少なくとも１つの端末ＴＥから成るリストは、基地局ＢＳと端末ＴＥとの間で転送される信号を中継しなければならない新しい各端末ＴＥの識別子を含む。
【０１４４】
プロセッサ２００は、中継器ＲＬが少なくとも１つの識別される端末ＴＥと基地局ＢＳとの間で転送される信号を中継しなければならない、該少なくとも１つの端末ＴＥを識別する。これは、中継器ＲＬが少なくとも１つの識別される端末ＴＥと基地局ＢＳとの間で転送される信号を中継しなければならなかった端末ＴＥから成る記憶されたリストに、少なくとも１つの識別子から成る受信されたリストに含まれる各識別子を追加することによってなされる。
【０１４５】
例えば、少なくとも１つの端末ＴＥから成るリストは、基地局ＢＳと端末ＴＥとの間で転送される信号の中継を中断しなければならない各端末ＴＥの識別子を含む。
【０１４６】
プロセッサ２００は、中継器ＲＬが少なくとも１つの識別される端末ＴＥと基地局ＢＳとの間で転送される信号を中継しなければならない、該少なくとも１つの端末ＴＥを識別する。これは、中継器ＲＬが少なくとも１つの識別される端末ＴＥと基地局ＢＳとの間で転送される信号を中継しなければならなかった端末ＴＥから成る記憶されたリストに、少なくとも１つの識別子から成る受信されたリストに含まれる各識別子を移動させることによって、
【０１４７】
次のステップＳ５６２において、プロセッサ２００は、各識別された端末ＴＥへ基地局ＢＳによって転送される信号の監視、復号、及び符号化、並びに／又は、各識別された端末ＴＥによって基地局ＢＳへ転送される信号の監視、復号、及び符号化を行うように無線インターフェース２０５に指令する。
【０１４８】
次のステップＳ５６３において、プロセッサ２００は、監視、復号、及び符号化された信号を端末ＴＥへ及び／又は基地局ＢＳへ再送信するように無線インターフェース２０５に指令する。
【０１４９】
例えば、第１のステップにおいて、中継器ＲＬは、基地局ＢＳによって端末ＴＥに割り当てられた周波数リソース上で端末ＴＥへ／からの信号を受信し、第２のステップにおいて、中継器ＲＬは、受信した信号を、その信号を変更することなく、同じ周波数リソース上で再送信する一方、基地局ＢＳはその周波数リソース上では送信を行わない。
【０１５０】
例えば、第１のステップにおいて、中継器ＲＬは、基地局ＢＳによって端末ＴＥに割り当てられた周波数リソース上で端末ＴＥへ／からの信号を受信し、第２のステップにおいて、中継器ＲＬは、受信した信号を変更することなく同じ周波数リソース上で再送信する一方、基地局ＢＳは、その周波数リソース上で同じ端末ＴＥへ別の信号を送信する。
【０１５１】
例えば、第１のステップにおいて、中継器ＲＬは、基地局ＢＳによって端末ＴＥに割り当てられた周波数リソース上で端末ＴＥへ／からの信号を受信し、第２のステップにおいて、中継器ＲＬは、受信した信号を変更することなく同じ周波数リソース上で再送信する一方、基地局ＢＳは、その周波数リソース上で別の端末ＴＥへ信号を送信する。
【０１５２】
例えば、第２のステップにおいて、中継器ＲＬは、基地局ＢＳによって端末ＴＥに割り当てられた周波数リソース上で端末ＴＥの信号を受信して復号し、第２のステップにおいて、中継器ＲＬは、受信した信号を変更することなく再符号化して同じ周波数リソース上で送信する一方、基地局ＢＳは、その周波数リソース上で送信を行わない。
【０１５３】
その後、プロセッサ２００は図５ａのステップＳ５０７に戻る。
【０１５４】
図６は、本発明による基地局によって実行されるアルゴリズムの一例を開示する。
【０１５５】
より正確には、本アルゴリズムは、基地局ＢＳのプロセッサ４００によって実行される。
【０１５６】
ステップＳ６００において、プロセッサ４００は、ランダムアクセス信号ＲＡＣＨが基地局ＢＳのランダムアクセスチャネルを通じて受信されたか否かをチェックする。
【０１５７】
ランダムアクセス信号ＲＡＣＨは、従来、基地局ＢＳによって管理されるセルに位置する新たな端末ＴＥによって転送されるか又はページングメッセージに応答して若しくは端末ＴＥに電源が投入されたときに転送される。
【０１５８】
ランダムアクセス信号が受信された場合、プロセッサ４００は、ステップＳ６０１に移動する。そうでない場合、プロセッサ４００はステップＳ６０４に移動する。
【０１５９】
ステップＳ６０１において、プロセッサ４００は、受信したランダムアクセス信号ＲＡＣＨに応答して、ＲＡＣＨ信号を送信した想定端末ＴＥに基地局ＢＳによって割り当てられた一時識別子ＵＥＩＤの、無線インターフェース２０６を通じた転送を指令する。この一時識別子ＵＥＩＤは、基地局ＢＳによって管理されるセルの想定端末ＴＥを一意に識別する。
【０１６０】
次のステップＳ６０２において、想定端末ＴＥと無線セルラー通信ネットワークの少なくとも１つのコアネットワークデバイスＣＮとの間に識別／認証手順が確立される。
【０１６１】
そのステップにおいて、基地局ＢＳは、想定端末ＴＥが中継器ＲＬであることに気付く。
【０１６２】
基地局ＢＳ又はコアネットワークデバイスＣＮは、新しい中継器ＲＬが、基地局ＢＳによって管理されるセルに配置されていることを管理エンティティＭＥに通知し、端末ＴＥに割り当てられたＵＥＩＤ及びＴＥＩＤを管理エンティティＭＥへ転送する。
【０１６３】
ここで、一変形では、中継器ＲＬは、割り当てられたＵＥＩＤ及びＴＥＩＤを管理エンティティＭＥへ転送することに留意しなければならない。
【０１６４】
同時に、中継器ＲＬは、従来の無線セルラー通信ネットワークが端末ＴＥを認証するのと同様の方法で認証される。
【０１６５】
次のステップＳ６０３において、中継器ＲＬと管理エンティティＭＥとの間に接続が確立される。
【０１６６】
管理エンティティＭＥが基地局ＢＳに含まれるとき、中継器ＲＬと管理エンティティＭＥとの間の接続は、中継器ＲＬと基地局ＢＳとの間にそれらのそれぞれの無線インターフェース２０５及び４０５を通じて確立される。
【０１６７】
管理エンティティＭＥが基地局ＢＳに含まれるとき、中継器ＲＬと管理エンティティＭＥとの間の接続は、
中継器ＲＬと基地局ＢＳとの間にそれらのそれぞれの無線インターフェース２０５及び４０５を通じて確立された、第１の部分接続と、
基地局ＢＳと管理エンティティＭＥとの間におけるそれらのそれぞれのネットワークインターフェース４０６及び３０６を通じた、第２の部分接続と
に分解される。
【０１６８】
管理エンティティＭＥが、一意の識別子の対を使用して接続を開始することもできるし、又は中継器ＲＬが、コアネットワークデバイスＣＮによって提供された指示から接続を開始することもできる。
【０１６９】
その後、プロセッサ４００はステップ６００に戻る。
【０１７０】
ステップＳ６０４において、プロセッサ４００は、ページングメッセージが管理エンティティＭＥから受信されたか否かをチェックする。
【０１７１】
ページングメッセージが受信された場合、プロセッサ４００はステップＳ６０５に移動する。そうでない場合、プロセッサ４００はステップＳ６０６に移動する。
【０１７２】
ステップＳ６０５において、プロセッサ４００は、無線インターフェース４０５を通じたページングメッセージの転送を指令する。
【０１７３】
その後、プロセッサ４００はステップ６００に戻る。
【０１７４】
ステップＳ６０６において、プロセッサ４００は、スケジューラー情報要求がネットワークインターフェース４０６を通じて管理エンティティＭＥから受信されたか否かをチェックする。
【０１７５】
スケジューラー情報要求が受信された場合、プロセッサ４００はステップＳ６０７に移動する。そうでない場合、プロセッサ４００はステップＳ６１０に移動する。
【０１７６】
ステップＳ６０７において、プロセッサ４００は、スケジューラー情報要求の期間中に送信された各物理リソースブロックＰＲＢが基地局ＢＳによって割り当てられている各端末ＴＥの識別子を取得する。
【０１７７】
一変形では、プロセッサ４００は、基地局ＢＳが少なくとも１つの物理リソースブロックＰＲＢを割り当てている各端末ＴＥの識別子を取得する。
【０１７８】
次のステップＳ６０８において、プロセッサ４００は、スケジューラー情報要求の期間中に送信された各物理リソースブロックが割り当てられている端末ＴＥの識別子の管理エンティティＭＥへの転送を指令する。
【０１７９】
一変形では、プロセッサ４００は、少なくとも１つの物理リソースブロックが基地局ＢＳによって割り当てられている各端末ＴＥの識別子を、それらの物理リソースブロックを識別する情報と共に、管理エンティティＭＥへ転送することを指令する。
【０１８０】
次のステップＳ６０９において、プロセッサ４００は、基地局ＢＳによってハンドリングされる端末ＴＥのうち、その端末ＴＥと基地局ＢＳとの間の送信品質が所与のしきい値未満である各端末ＴＥの識別子の転送を指令する。
【０１８１】
例として、転送される識別子は、他の端末と比較して低いスループットを有すると識別された端末ＴＥの識別子である。
【０１８２】
これらの端末ＴＥは、例えば、所与の時間期間にわたって実行されたパケットの再送信の回数を監視することによって識別される。
【０１８３】
その後、プロセッサ４００はステップＳ６００に戻る。
【０１８４】
ステップＳ６１０において、プロセッサ４００は、ハンドオーバーが必要とされているか否かをチェックする。
【０１８５】
ハンドオーバーが必要とされている場合、プロセッサ４００はステップＳ６１１に移動する。そうでない場合、プロセッサ４００はステップＳ６００に戻る。
【０１８６】
ステップＳ６１１において、プロセッサ４００は、従来の無線セルラー通信ネットワークにおける従来の端末ＴＥの場合と同様のハンドオーバー手順を実行する。
【０１８７】
その後、プロセッサ４００はステップＳ６００に戻る。
【０１８８】
図７ａ、図７ｂ、及び図７ｃは、本発明による管理エンティティによって実行されるアルゴリズムの一例を開示する。
【０１８９】
より正確には、本アルゴリズムは、管理エンティティＭＥのプロセッサ３００によって実行される。
【０１９０】
管理エンティティＭＥが、１つの基地局ＢＳの少なくとも１つのセルに含まれる複数の中継器ＲＬを管理するとき、本アルゴリズムは、その基地局ＢＳのセルに含まれる各中継器ＲＬについて並列に実行される。
【０１９１】
管理エンティティＭＥが、複数の基地局ＢＳのセルに含まれる複数の中継器ＲＬを管理するとき、本アルゴリズムは、各基地局ＢＳのセルに含まれる各中継器ＲＬについて並列に実行される。
【０１９２】
ステップＳ７００において、プロセッサ３００は、中継器ＲＬに割り当てられた識別子ＵＥＩＤ及びＴＥＩＤを含むメッセージの受信を検出する。このメッセージは、基地局ＢＳによって又はコアネットワークＣＮによって転送される。
【０１９３】
ここで、一変形では、中継器ＲＬは、割り当てられたＵＥＩＤ及びＴＥＩＤを管理エンティティＵＥへ転送することに留意しなければならない。
【０１９４】
次のステップＳ７０１において、中継器ＲＬと管理エンティティＭＥとの間に接続が確立される。
【０１９５】
管理エンティティＭＥが基地局ＢＳに含まれるとき、中継器ＲＬと管理エンティティＭＥとの間の接続は、中継器ＲＬと基地局ＢＳとの間にそれらのそれぞれの無線インターフェース２０５及び４０５を通じて確立される。
【０１９６】
管理エンティティＭＥが基地局ＢＳに含まれるとき、中継器ＲＬと管理エンティティＭＥとの間の接続は、中継器ＲＬと基地局ＢＳとの間にそれらのそれぞれの無線インターフェース２０５及び４０５を通じて確立された第１の部分接続と、基地局ＢＳと管理エンティティＭＥとの間におけるそれらのそれぞれのネットワークインターフェース４０６及び３０６を通じた第２の部分接続とに分解される。
【０１９７】
管理エンティティＭＥが、一意の識別子の対を使用して接続を開始することもできるし、又は中継器ＲＬが、コアネットワークＣＮによって提供された指示から接続を開始することもできる。
【０１９８】
ステップＳ７０２において、プロセッサ３００は、中継器ＲＬの特徴を取得するための要求の転送を指令する。
【０１９９】
中継器ＲＬの特徴は、例えば、
全地球的航法衛星システムによって提供される位置としての中継器の位置、
中継器が受信信号の再送信をスケジューリングすることができるか否か、かつ／又は、
中継器が受信信号を復号及び再送信できるか否か、かつ／又は、
どの端末ＴＥへ信号が転送されたか、若しくは、どの端末ＴＥから信号が送信されたかを、中継器が判断できる場合、かつ／又は、
中継器ＲＬが、異なる周波数リソースで信号を再送信することができるか否か、若しくは、中継器ＲＬが、中継器ＲＬによって受信された信号の送信に使用されたものと異なる変調及び／若しくは符号化方式を使用して信号を再送信することができるか否か、かつ／又は、
どのプロトコルが中継器ＲＬによってサポートされているのか、
である。
【０２００】
次のステップＳ７０３において、プロセッサ３００は中継器ＲＬの特徴を受信する。
【０２０１】
ここで、一変形では、中継器ＲＬの特徴は、図７ａの識別ステップＳ７０１の期間中に受信されることに留意しなければならない。その変形では、プロセッサ３００は、Ｓ７５２において図７ｂのアルゴリズムを開始する。
【０２０２】
次のステップＳ７０４において、プロセッサ３００は、中継器ＲＬがアイドルモードにあるか否かをチェックする。中継器がアイドルモードにある場合、プロセッサ３００はステップＳ７０５に移動する。そうでない場合、プロセッサ３００はステップＳ７１５に移動する。
【０２０３】
ステップＳ７０５において、プロセッサ３００は、中継器ＲＬをアクティブ化する必要があるか否かをチェックする。
【０２０４】
どの他の中継器ＲＬも、少なくとも１つの端末ＴＥと基地局ＢＳとの間で転送される信号を中継していないときに、又は、他のほとんどの中継器ＲＬがそのような信号を中継していないときに、中継器ＲＬをアクティブ化することが必要な場合がある。
【０２０５】
ある中継器ＲＬが、現在信号を中継している別の中継器ＲＬの特徴よりも良好な特徴を有する場合に、その中継器ＲＬをアクティブ化することが必要な場合がある。
【０２０６】
中継器ＲＬをアクティブ化する必要がある場合、プロセッサ３００はステップＳ７０６に移動する。
【０２０７】
そうでない場合、プロセッサ３００はステップＳ７０４に戻る。
【０２０８】
ステップＳ７０６において、プロセッサ３００は、中継器ＲＬへのページングメッセージの転送を指令する。
このページングメッセージは、
中継器ＲＬが配置されていると想定されるセルをハンドリングする基地局ＢＳへ、又は、
中継器ＲＬが配置されていると想定されるセルをハンドリングする基地局ＢＳを取り囲む複数の基地局ＢＳへ
転送される。この１つ又は複数の基地局は、このページングメッセージを、それ自身またはそれら自身のセルにおいて転送する。
【０２０９】
次のステップＳ７０７において、プロセッサ３００は、応答メッセージがページングメッセージに応答して受信されたか否かをチェックする。
【０２１０】
この応答メッセージは、中継器ＲＬが配置されているセルを管理する基地局ＢＳによって転送される。応答メッセージは、基地局ＢＳがその中継器ＲＬからランダムアクセスメッセージＲＡＣＨを受信すると、基地局ＢＳによって転送される。
【０２１１】
応答メッセージが受信された場合、プロセッサ３００はステップＳ７０９に移動する。そうでない場合、プロセッサ３００はステップＳ７０８に移動する。
【０２１２】
ステップＳ７０８において、プロセッサ３００は、中継器ＲＬのコンテキストの削除を指令する。
【０２１３】
中継器ＲＬのコンテキストは、中継器ＲＬに割り当てられた一時識別子と、中継器ＲＬについて求められた少なくとも１つの端末ＴＥから成るリストとを含む。また、中継器ＲＬの特徴を含む場合がある。
【０２１４】
より一般的には、中継器ＲＬのコンテキストは、管理エンティティＭＥに記憶された中継器ＲＬに関連したすべての情報を含むことができる。
【０２１５】
その後、プロセッサ３００は、その中継器ＲＬについて本アルゴリズムを中断する。
【０２１６】
ステップＳ７０９において、プロセッサ３００は、中継器ＲＬに割り当てられた識別子ＴＥＩＤ及び中継器ＲＬに割り当てられた新しいＵＥＩＤを含むメッセージの受信を検出する。このメッセージは、基地局ＢＳによって又はコアネットワークデバイスＣＮによって転送される。
【０２１７】
ここで、一変形では、中継器ＲＬは、割り当てられたＵＥＩＤ及びＴＥＩＤを管理エンティティＭＥへ転送することに留意しなければならない。
【０２１８】
次のステップＳ７１０において、ステップＳ７０１として開示されたのと同様に、中継器ＲＬと管理エンティティＭＥとの間に接続が確立される。
【０２１９】
その後、プロセッサ３００はステップＳ７０４に戻る。
【０２２０】
ステップＳ７１５において、プロセッサ３００は、ハンドオーバーが中継器ＲＬに必要とされているか否かをチェックする。
【０２２１】
ハンドオーバーが必要とされている場合、プロセッサ３００はステップＳ７２０に移動する。そうでない場合、プロセッサ３００はステップＳ７３０に移動する。
【０２２２】
ステップＳ７２０において、プロセッサ３００は、中継器が、管理エンティティＭＥによってハンドリングされるゾーンから出て行こうとしているか否かをチェックする。
【０２２３】
管理エンティティＭＥが基地局ＢＳに含まれるとき、管理エンティティＭＥによってハンドリングされるゾーンは、基地局ＢＳによって管理される１つ又は複数のセルである。
【０２２４】
管理エンティティＭＥが、複数の基地局ＢＳのセルに含まれる複数の中継器ＲＬを管理しているとき、管理エンティティＭＥによってハンドリングされるゾーンは、各基地局ＢＳによって管理される１つ又は複数のセルである。
【０２２５】
中継器ＲＬは、管理エンティティＭＥによってハンドリングされるゾーンから出て行こうとしている場合、プロセッサ３００はステップＳ７２１に移動する。そうでない場合、プロセッサ３００はステップＳ７２２に移動する。
【０２２６】
ステップＳ７２１において、プロセッサ３００は、その中継器ＲＬのコンテキストの削除を指令する。
【０２２７】
一変形では、プロセッサ３００は、中継器ＲＬが現在配置されているエリアをハンドリングする管理エンティティＭＥへの、その中継器の特徴の転送を指令する。
【０２２８】
その後、プロセッサ３００は、中継器ＲＬについて本アルゴリズムを中断する。
【０２２９】
ステップＳ７２２において、プロセッサは、中継器ＲＬについて求められた少なくとも１つの端末から成るリストの削除を指令する。
【０２３０】
次のステップＳ７２３において、プロセッサ３００は、中継器ＲＬのコンテキストを一時識別子ＴＥＩＤと組み合わせて記憶する。
【０２３１】
その後、プロセッサ３００はステップＳ７００に戻る。
【０２３２】
ステップＳ７３０において、プロセッサ３００は、新しいリストを形成する時刻であるか否かをチェックする。
【０２３３】
例えば、新しいリストは、定期的に形成される。又は、新しいリストは、リストに含まれる端末ＴＥが、基地局ＢＳによって管理されるセルにもはや存在しないときに形成される。
【０２３４】
新しいリストを形成する時刻であるとき、プロセッサ３００はステップＳ７３１に移動し、そうでない場合、プロセッサ３００はステップＳ７０４に戻る。
【０２３５】
次のステップＳ７３１において、プロセッサ３００はリストを形成する。ステップＳ７３１は、図７ｃを参照してより正確に説明される。
【０２３６】
次のステップＳ７３２において、プロセッサ３００は、中継器ＲＬが、少なくとも１つの端末ＴＥと基地局ＢＳとの間で転送される信号を中継しなければならないか否かを判断する。
【０２３７】
リストが、基地局ＢＳと端末ＴＥとの間で転送される信号を中継しなければならない各端末ＴＥの識別子を含む場合、プロセッサ２００は、リストが空であるか否かをチェックする。リストが空でない場合、中継器ＲＬは、少なくとも１つの端末ＴＥと基地局ＢＳとの間で転送される信号を中継しなければならない。
【０２３８】
少なくとも１つの端末ＴＥから成るリストが、基地局ＢＳと端末ＴＥとの間で転送される信号の中継を中断しなければならない各端末ＴＥの識別子を含む場合、プロセッサ３００は、そのリストに含まれる各識別子を、中継器ＲＬが少なくとも１つの識別された端末ＴＥと基地局ＢＳとの間で転送される信号を中継しなければならなかった端末ＴＥから成る記憶されたリストへ移動させ、変更後の記憶されたリストが空であるか否かをチェックする。変更された記憶リストが空でない場合、中継器ＲＬは、少なくとも１つの端末ＴＥと基地局ＢＳとの間で転送される信号を中継しなければならない。
【０２３９】
中継器ＲＬが、少なくとも１つの端末ＴＥと基地局ＢＳとの間で転送される信号を中継しなければならない場合、プロセッサ３００はステップＳ７４０に移動する。そうでない場合、プロセッサ３００はステップＳ７３３に移動する。
【０２４０】
ここで、一変形では、少なくとも１つの端末から成るリストは、中継器ＲＬと基地局ＢＳとの間のリンクの品質に従って求められることに留意しなければならない。
【０２４１】
中継器ＲＬと基地局ＢＳとの間のリンクの品質が所与のしきい値未満である場合、プロセッサ３００は、中継器ＲＬが信号の中継を中断しなければならないと決定することができる。形成されたリストは、その場合、中継器ＲＬが信号の中継を停止しなければならないことを反映した端末の識別子を含む。
【０２４２】
ステップＳ７３３において、プロセッサ３００は、中継器ＲＬをアイドルモードに切り替えなければならないか否かをチェックする。
【０２４３】
例えば、ステップＳ７３１において求められた複数の連続したリストが、中継器ＲＬが信号の中継を停止しなければならないことを反映しているとき、中継器をアイドルモードに切り替えなければならない。
【０２４４】
中継器ＲＬをアイドルモードに切り替えなければならない場合、プロセッサ３００はステップＳ７３４に移動する。そうでない場合、プロセッサ３００はステップＳ７０４に戻る。
【０２４５】
プロセッサ３００がステップＳ７０４に戻る場合、中継器ＲＬはアクティブモードにある。アクティブモードでは、中継器ＲＬと管理エンティティＭＥとの間の接続は維持されるが、中継器ＲＬは、基地局ＢＳと少なくとも１つの端末ＴＥとの間で転送される信号を中継しない。
【０２４６】
ステップＳ７３４において、プロセッサ３００は、中継器ＲＬへのアイドルコマンドの転送を指令する。
【０２４７】
アイドルモードでは、中継器ＲＬは、信号の中継を停止し、端末ＴＥのロケーションを特定するのに使用された信号のようないくつかの信号の送信を中断する。
【０２４８】
次のステップＳ７３５において、プロセッサ３００は、識別子ＴＥＩＤと、中継器ＲＬのコンテキストとを、そのＴＥＩＤが割り当てられたデバイスがアイドルモードの中継器ＲＬであることを示す情報と組み合わせて記憶する。
【０２４９】
同じステップにおいて、中継器ＲＬと管理エンティティＭＥとの間の接続は解放される。
【０２５０】
その後、プロセッサ３００はステップＳ７０４に戻る。
【０２５１】
次のステップＳ７４０において、プロセッサ３００は、中継器ＲＬがすでに中継モードにあるか否かをチェックする。
【０２５２】
中継器ＲＬがすでに中継モードにある場合、プロセッサ３００はステップＳ７４２に移動する。そうでない場合、プロセッサ３００はステップＳ７４１に移動する。
【０２５３】
ステップＳ７４１において、プロセッサ３００は、接続を通じた中継器ＲＬへの中継コマンドの転送を指令する。
【０２５４】
ステップＳ７４２において、プロセッサ３００は、中継器ＲＬへのリストの転送を指令する。
【０２５５】
次のステップＳ７４３において、プロセッサ３００は、識別子ＵＥＩＤ及びＴＥＩＤの対を、そのＴＥＩＤが割り当てられたデバイスが中継モードの中継器ＲＬであることを示す情報と組み合わせて記憶する。
【０２５６】
その後、プロセッサ３００はステップＳ７０４に戻る。
【０２５７】
図７ｃのステップＳ７５０において、プロセッサ３００は、中継器ＲＬへのサウンディング要求の転送を指令する。
【０２５８】
次のステップＳ７５１において、プロセッサ３００は、中継器ＲＬによって測定された受信信号電力強度が最も高いＭ個のものに対応するＭ個の物理リソースブロックＰＲＢを識別する情報の受信を検出する。
【０２５９】
一変形では、プロセッサ３００は、中継器ＲＬによって測定された受信信号電力強度が最も高いＭ個のものに対応するＭ個の端末ＴＥの識別子の受信を検出する。このような変形では、プロセッサ３００はステップＳ７５１からＳ７５４へ移動する。
【０２６０】
次のステップＳ７５２において、プロセッサ３００は、スケジューラー情報要求の基地局ＢＳへの転送を指令する。
【０２６１】
スケジューラー情報要求は、ステップＳ７５１において受信された情報で識別される物理リソースブロックが割り当てられた各端末ＴＥの識別子を取得するための要求であってもよい。
【０２６２】
スケジューラー情報要求は、物理リソースブロックが基地局ＢＳによって割り当てられた各端末ＴＥの識別子を取得するための要求であってもよい。
【０２６３】
スケジューラー情報要求は、ステップＳ７５１において受信された情報で識別される物理リソースブロックの一部が割り当てられた各端末ＴＥの識別子を取得するための要求であってもよい。
【０２６４】
次のステップＳ７５３において、プロセッサ３００は、ステップＳ７５３において受信された情報で識別される物理リソースブロックが割り当てられた各端末ＴＥの識別子を取得する。
【０２６５】
プロセッサ３００は、スケジューラー情報要求に応答して、少なくとも基地局ＢＳにより転送されたメッセージから識別子を取得する。
【０２６６】
次のステップＳ７５４において、プロセッサ３００は、基地局ＢＳによりハンドリングされる端末ＴＥのうち、他のものと比較して低いスループットを有すると識別された各端末ＴＥの識別子を取得する。
【０２６７】
プロセッサ３００は、少なくとも基地局ＢＳによって転送されたメッセージから低いスループットを有すると識別された基地局ＢＳによりハンドリングされる端末ＴＥの識別子を取得する。
【０２６８】
次のステップＳ７５５において、プロセッサ３００はリストを決定する。
【０２６９】
例えば、このリストは、各端末ＴＥの識別子（ただし、ステップＳ７５３において取得された識別子であるか、または、ステップＳ７５３及びＳ７５４において受信された識別子であるもの）を選択することによって求められる。並びに／又は、このリストは、中継器ＲＬの位置に近い位置を有する各端末ＴＥの識別子を選択することによって求められる。
【０２７０】
別の例では、このリストは、各端末ＴＥの識別子（ただし、ステップＳ７５３において受信された識別子であって、以前のリストに含まれていなかったものであるか、または、ステップＳ７５３及びＳ７５４において受信された識別子であって、記憶されたリストに含まれていなかったもの）を選択することによって求められる。並びに／又は、このリストは、中継器ＲＬの位置に近い位置を有する端末ＴＥの識別子であって、以前のリストに記憶されていなかった各端末ＴＥの識別子を選択することによって求められる。
【０２７１】
別の例では、このリストは、各端末ＴＥの識別子（ただし、以前のリストに含まれていた識別子であって、ステップＳ７５３において識別されていないものであるか、または、記憶されたリストに含まれていた識別子であって、ステップＳ７５３及びＳ７５４においてもはや識別されないもの）を選択することによって求められる。並びに／又は、このリストは、中継器ＲＬの位置から遠くなる位置を有する各端末ＴＥの識別子を選択することによって求められる。
【０２７２】
当然のことながら、本発明の範囲から逸脱することなく、上述した本発明の実施形態に対して多くの変更を行うことができる。
【図１】
2014171255.tif 000003
【図２】
2014171255.tif 000004
【図３】
2014171255.tif 000005
【図４】
2014171255.tif 000006
【図５ａ】
2014171255.tif 000007
【図５ｂ】
2014171255.tif 000008
【図６】
2014171255.tif 000009
【図７ａ】
2014171255.tif 000010
【図７ｂ】
2014171255.tif 000011
【図７ｃ】
2014171255.tif 000012
【外国語明細書】
2014171255.tif 000013
2014171255.tif 000014
2014171255.tif 000015
2014171255.tif 000016
2014171255.tif 000017
2014171255.tif 000018
2014171255.tif 000019
2014171255.tif 000020
2014171255.tif 000021
2014171255.tif 000022
2014171255.tif 000023
2014171255.tif 000024
2014171255.tif 000025
2014171255.tif 000026
2014171255.tif 000027
2014171255.tif 000028
2014171255.tif 000029
2014171255.tif 000030
2014171255.tif 000031
2014171255.tif 000032
2014171255.tif 000033
2014171255.tif 000034
2014171255.tif 000035
2014171255.tif 000036
2014171255.tif 000037
2014171255.tif 000038
2014171255.tif 000039
2014171255.tif 000040
2014171255.tif 000041
2014171255.tif 000042
2014171255.tif 000043
2014171255.tif 000044
2014171255.tif 000045
2014171255.tif 000046
2014171255.tif 000047
2014171255.tif 000048
2014171255.tif 000049
2014171255.tif 000050
2014171255.tif 000051
2014171255.tif 000052